(57)【要約】【課題】電気回路を冷却して電気回路の昇温を防止すること。【解決手段】レーザ走査ユニット８は、レーザ発光ダイオードと、レーザ発光ダイオードの光を、回転して偏向走査する回転多面鏡体１０１と、回転多面鏡体を回転させるポリゴンモータ１０２と、ポリゴンモータのＩＣ基板１０３と、ＩＣ基板に対向して配置され、回転多面鏡体の回転によって生じる気流ＡＲをＩＣ基板に案内する案内部２ｂと、を備え、案内部は、気流が流れる方向の下流側部分２ｂｂが上流側部分２ｂａよりもＩＣ基板に接近して配置されている。【選択図】図４
2016105133.tif 000002
【特許請求の範囲】
【請求項１】
光源と、
前記光源からの光を、回転して偏向走査する回転多面鏡体と、
前記回転多面鏡体を回転させる駆動手段と、
前記駆動手段の電気回路と、
前記電気回路に対向して配置され、前記回転多面鏡体の回転によって生じる気流を前記電気回路に案内する案内部と、を備え、
前記案内部は、前記気流が流れる方向の下流側部分が上流側部分よりも前記電気回路に接近して配置されている、
ことを特徴とする光走査装置。
【請求項２】
前記案内部は、前記回転多面鏡体の放射方向に傾斜する傾斜面を有する、
ことを特徴とする請求項１に記載の光走査装置。
【請求項３】
前記案内部は、前記回転多面鏡体の回転接線方向に傾斜する傾斜面を有する、
ことを特徴とする請求項１に記載の光走査装置。
【請求項４】
前記案内部によって案内された気流の下流に、外部に通じるスリットが配置されている、
ことを特徴とする請求項１乃至３のいずれか１項に記載の光走査装置。
【請求項５】
前記スリットと、前記駆動手段のコネクタの開口部とを塞ぐ、通気性と弾性とを有する、着脱自在な塵埃侵入防止部材を備えた、
ことを特徴とする請求項４に記載の光走査装置。
【請求項６】
前記光源と、前記回転多面鏡体と、前記駆動手段と、前記電気回路とを収納したケーシングと、
前記ケーシングを覆うカバーと、を備え、
前記案内部は、前記カバーに形成されて、前記電気回路に隙間を有して対向している、
ことを特徴とする請求項１乃至５のいずれか１項に記載の光走査装置。
【請求項７】
前記カバーは、前記スリットと、前記開口部と、前記塵埃侵入防止部材が着脱自在に装着される凹部とを形成されている、
ことを特徴とする請求項４乃至６のいずれか１項に記載の光走査装置。
【請求項８】
請求項１乃至７のいずれか１項に記載の光走査装置と、
前記光走査装置によって露光される感光体を有して、前記感光体に形成されたトナー像をシートに転写する画像形成部と、
前記画像形成部によってシートに転写されたトナー像を該シートに定着する定着部と、を備えた、
ことを特徴とする画像形成装置。
【発明の詳細な説明】
【技術分野】
【０００１】
本発明は、感光ドラムを露光する光走査装置と、この光走査装置を備えてシートにトナー像を形成する画像形成装置とに関する。
【背景技術】
【０００２】
従来、シートに画像を形成する装置として、複写機、ファクシミリ、プリンタ等の画像形成装置がある。この画像形成装置は、帯電器により帯電された感光ドラムを光走査装置としてのレーザ走査ユニットのレーザ光によって露光して感光ドラムに潜像を形成する。そして画像形成装置は、その潜像を現像器によってトナー像にして、トナー像をシートに転写し、定着してシートに画像を形成するようになっている。
【０００３】
しかし、近年、画像形成装置の小型化や高速化に伴いレーザ走査ユニットの小型化や、レーザ走査ユニットの回転多面鏡体を回転させるポリゴンモータの回転数の増加により、ポリゴンモータの電気回路としてのＩＣ基板の発熱温度が高くなることがある。
【０００４】
ＩＣ基板の温度が高くなると、レーザ走査ユニットのｆθレンズ、アナモフィックレンズ等の光学部品が温められて、光学部品の特性が変化し、感光体としての感光ドラムの照射位置にずれが生じたり、レーザ光のスポット径が変わったりすることがある。このようなことがあると、シートに形成された画像の画質の低下原因になる。
【０００５】
そこで、このような問題に対処した、光走査装置として、スキャナカバーに凹凸部を形成して、レーザ走査ユニットの放熱効果を高めて、ＩＣ基板が発する熱によって、光学部品の特性が変わるのを防止したものがある（特許文献１）。
【先行技術文献】
【特許文献】
【０００６】
【特許文献１】特開２００８−２０５８９号公報
【発明の概要】
【発明が解決しようとする課題】
【０００７】
しかし、従来の光走査装置は、次の問題点があった。すなわち、凹凸部のスペースが必要になり、装置の小型化が困難であった。凹凸部を形成する製作上の手間を要し、コストアップの要因の１つになっていた。ポリゴンミラーの回転時に生じる気流が凹凸部に当たり、風切り音が発生していた。
【０００８】
また、このような光走査装置を備えた画像形成装置は、装置の小型化、コストダウン、動作音の低下等が困難であった。
【０００９】
本発明は、回転多面鏡体を回転させる駆動手段の電気回路を冷却して電気回路自体の昇温を防止した光走査装置と、この光走査装置を備えた画像形成装置とを提供することにある。
【課題を解決するための手段】
【００１０】
本発明の光走査装置は、光源と、前記光源からの光を、回転して偏向走査する回転多面鏡体と、前記回転多面鏡体を回転させる駆動手段と、前記駆動手段の電気回路と、前記電気回路に対向して配置され、前記回転多面鏡体の回転によって生じる気流を前記電気回路に案内する案内部と、を備え、前記案内部は、前記気流が流れる方向の下流側部分が上流側部分よりも前記電気回路に接近して配置されている、ことを特徴としている。
【００１１】
本発明の画像形成装置は、上記の光走査装置と、前記光走査装置によって露光される感光体を有して、前記感光体に形成されたトナー像をシートに転写する画像形成部と、前記画像形成部によってシートに転写されたトナー像を該シートに定着する定着部と、を備えた、ことを特徴としている。
【発明の効果】
【００１２】
本発明の光走査装置は、回転多面鏡体の回転によって生じる気流を、案内部によって電気回路に案内して電気回路を冷却するようになっている。しかも、案内部が、気流が流れる方向の下流側部分が上流側部分よりも電気回路に接近しているので、電気回路を通過する気流の流れが速くなり、電気回路の冷却効果が高まるようになっている。このため、本発明の光走査装置は、電気回路自体の昇温を防止することができて、電気回路を長期間使用すること、光走査装置を小型にすること、コストを下げること、動作音を小さくすること等ができる。
【００１３】
本発明の画像形成装置は、電気回路自体の昇温を防止することができる光走査装置を備えているので、シートに高画質の画像を形成することができる。
【図面の簡単な説明】
【００１４】
【図１】本発明の実施形態の画像形成装置のシート搬送方向に沿った断面概略図である。
【図２】図１の画像形成装置における主要部をブロック化した図である。
【図３】図１のレーザ走査ユニットの図である。（Ａ）は、レーザ走査ユニットの平面図である。（Ｂ）は、（Ａ）において、レーザ走査ユニットのカバーを外したレーザ走査ユニットの平面図である。
【図４】図３（Ａ）のＣ−Ｃ矢視断面図である。
【図５】図３のレーザ走査ユニットのレーザ光で感光ドラムを照射している図であり、レーザ走査ユニットは図３（Ａ）のＤ−Ｄ矢視断面図で示してある。
【図６】図３（Ｂ）において、気流の流れを示す図である。
【図７】図４と傾斜部が異なる場合の図である。（Ａ）は、図３（Ａ）に相当する図である。（Ｂ）は、（Ａ）のＥ―Ｅ矢視断面図である。
【図８】他の形態のレーザ走査ユニットの平面図である。
【図９】図８のＪ−Ｊ矢視断面図である。
【図１０】図８のレーザ走査ユニットの気流の流れを示す図であり、図３（Ｂ）に相当する図である。
【図１１】図９と傾斜部が異なる場合の図である。（Ａ）は、図８に相当する図である。（Ｂ）は、（Ａ）のＫ―Ｋ矢視断面図である。
【図１２】図３（Ａ）と図７（Ａ）のスリットが形成されていないカバーの内部における、気流を示した図である。
【発明を実施するための形態】
【００１５】
以下、本発明の実施の形態を図面に基づいて説明する。図１は、本発明の画像形成装置における実施形態の画像形成装置のシート搬送方向に沿った断面概略図である。図２は、図１の主要部をブロック化した図である。
【００１６】
画像形成装置１００は、装置本体４００と、装置本体４００の上部に設けられた画像読取装置３００とを備えている。装置本体４００内のピックアップローラ４２０，４２１は、カセット４０４，４０５に収納されたシートＰをカセット４０４，４０５から送り出す。搬送ローラ対４２２は、カセットから送り出されたシートを、感光体としての感光ドラム４０２と転写器４０６との間に送り込む。
【００１７】
一方、光走査装置としてのレーザ走査ユニット８は、帯電器４２３で表面を帯電された感光ドラム４０２にレーザ光を照射して（レーザ光で偏向走査して）、感光ドラム４０２を露光する。感光ドラム４０２には、画像読取装置３００で原稿を読み取った画像情報に基づいた潜像がレーザ光Ｌによって形成される。その潜像は、トナー現像器４０３によって、トナー現像されて、トナー像となる。転写器４０６は、感光ドラム４０２と転写器４０６との間に送り込まれたシートに感光ドラム４０２のトナー像を転写して、そのシートを感光ドラム４０２とで定着器４０７に送り込む。定着器４０７は、シートを加熱してトナー像をシートに定着する。最後、排出ローラ対４０８がシートをトレイ４２４に排出する。
【００１８】
シートの両面に画像を形成する場合、定着器４０７から送り出されたシートは、切替部材４０９，４１７，４１３の案内と、搬送ローラ対４１１の搬送とによって反転パス４１２に送り込まれる。その後、シートは、搬送ローラ対４１１の逆転と切替部材４１３の案内とによって、反転パス４１２から帰還パス４１０に送り込まれる。この間にシートは、スイッチバック搬送されて、表裏反転される。シートは、帰還パス４１０を案内されて、再度、感光ドラム４０２と転写器４０６との間に送り込まれて他方の面にトナー像を形成される。シートは、定着部としての定着器４０７においてトナー像を定着されて、最後、トレイ４２４に排出される。感光ドラム４０２、トナー現像器４０３、転写器４０６等は画像形成部４３０を形成している。
【００１９】
画像読取装置３００は、画像読取装置３００の画像読取部３０３と、画像読取部３０３に開閉自在に設けられた原稿給送部２００とを備えている。
【００２０】
原稿給送部２００は、原稿トレイ２０１上の原稿Ｄを、搬送ローラ２０２，２０３，２０５，２０６，２０７によって、流し読みガラス３２１上に送り込み、その後、搬送ローラ２０８、排出ローラ２０９によって排出トレイ２１０に排出するようになっている。画像読取部３０３は、原稿給送部２００と対向する部分に、固定読みガラス３０１と、流し読みガラス３２１と、掬い上げ部材３２２とを有している。画像読取部３０３には、内部に、読取部３０２と、信号処理部５０３と、不図示の走査駆動部等が設けられている。
【００２１】
画像読取装置３００は、読取部３０２を流し読みガラス３２１の下に待機させて、原稿給送部２００によって流し読みガラス３２１上に送り込まれてくる原稿に読取部３０２の光を照射させ、その反射光を読取部３０２に受光させる。そして、読取部３０２は、受光した光を電気信号に変換する。その電気信号は、信号処理部５０３によって処理された後、制御部５１０を介してレーザ走査ユニット８に画像情報を電気信号として送られる。このような原稿の読み方を流し読みという。また、画像読取装置３００は、原稿給送部２００を開いて、開放された固定読みガラス３０１に原稿を載置した後、原稿給送部２００を閉じて、読取部３０２を矢印Ｈ，Ｅ方向に移動させることによって原稿を読みとる固定読みも行えるようになっている。
【００２２】
また、画像読取装置３００は、読取部３０２が読み取った画像情報を装置本体４００のレーザ走査ユニット８に送る他に、パソコン、ファクシミリ等の外部機器にも送信できるようになっている。
【００２３】
また、図２において、画像形成装置１００は、外部のパソコン、ファクシミリ等の外部装置のデータ出力部５０２から送信されてくる画像データを信号処理部５０３で画像を形成できるように処理をする。そして、制御部５０１が画像データに基づいて、レーザ走査ユニット８のポリゴンモータ１０２を回転制御して、レーザ走査ユニット８を作動させ、感光ドラム４０２に潜像を形成させる。制御部５０１と信号処理部５０３は、画像コントローラ部５０４を構成している。なお、画像コントローラ部５０４は、ポリゴンモータ１０２の他に、不図示のモータやプランジャ等も制御するようになっている。
【００２４】
図３は、レーザ走査ユニット８の図である。図３（Ａ）は、レーザ走査ユニット８の平面図である。図３（Ｂ）は、図３（Ａ）において、レーザ走査ユニット８のカバー２を外したレーザ走査ユニット８の平面図である。図４は、図３（Ａ）において、Ｃ−Ｃ矢視断面図である。図５は、図３のレーザ走査ユニットのレーザ光で感光ドラムを照射している図であり、レーザ走査ユニットは図３（Ａ）のＤ−Ｄ矢視断面図で示してある。
【００２５】
レーザ走査ユニット８は、収納ケース３、カバー２、レーザ光源ユニット１２、アナモフィックレンズ１１、開口絞り１３、ポリゴンモータユニット１、ｆθレンズ１０、防塵ガラス１４等を備えている。ケーシングとしての収納ケース３は、内部にレーザ光源ユニット１２、アナモフィックレンズ１１、開口絞り１３、ポリゴンモータユニット１、ｆθレンズ１０等が設けられている。収納ケース３のレーザ光Ｌが出て行く部分には、防塵ガラス１４が設けられている。収納ケース３の上部は、カバー２によって塞がれている。カバー２には、凹部２ｃが形成されている。凹部２ｃの底部２ｃａには、後述するコネクタ１０４が凹部２ｃ内に突出するための開口部２ａが形成されている。
【００２６】
レーザ光源ユニット１２は、レーザ発光ダイオード１２１、レーザ発光ダイオードの駆動基板１２２、コリメーター鏡筒１２３等で構成されている。ポリゴンモータユニット１は、レーザ光を偏向し走査する回転多面鏡体１０１、ポリゴンモータ１０２、ポリゴンモータを回転制御するためのＩＣ基板１０３、レーザ光源ユニットの外部とＩＣ基板１０３とを電気的に接続するコネクタ１０４等で構成されている。ｆθレンズ１０は、レーザ光を感光ドラム４０２（図１）に所定のスポット径で結像するようになっている。
【００２７】
レーザ走査ユニット８の動作を説明する。レーザ光源ユニット１２の光源としてのレーザ発光ダイオード１２１から発光されたレーザ光Ｌは、アナモフィックレンズ１１と、開口絞り１３とを通過して、ポリゴンモータ１０２によって回転している回転多面鏡体１０１に照射される。そして、レーザ光Ｌは、回転多面鏡体１０１によって偏向し走査されてｆθレンズ１０へ反射され、防塵ガラス１４を通過して、反射板４０１（図５）で反射され、感光ドラム４０２に結像される。これによって、感光ドラム４０２に潜像が形成される。
【００２８】
ところで、ポリゴンモータ１０２が回転しているとき、電気回路としてのＩＣ基板１０３が発熱し、その熱によって、ｆθレンズ１０やアナモフィックレンズ１１等の光学部品が温められて、光学部品の特性が変化することがある。一方、回転多面鏡体１０１は、扁平な正方形（正方形に限定されない。正方多角形であればよい）に形成されている。このため、回転多面鏡体１０１が回転すると、図４、図６に示すように気流ＡＲが発生する。そこで、本実施形態のレーザ走査ユニット８は、この気流ＡＲを利用して、ＩＣ基板１０３を冷却して、ＩＣ基板１０３の昇温を防止し、ｆθレンズ１０やアナモフィックレンズ１１等の光学部品が温められるのを防止したことに特徴がある。
【００２９】
そこで、図４に示すように、本実施形態のレーザ走査ユニット８は、カバー２のＩＣ基板１０３に対向する部分で、かつ回転多面鏡体１０１とコネクタ１０４との間の位置に、案内部２ｂが形成（配置）されている。案内部２ｂのＩＣ基板に対向する面に傾斜面２ｂｃが形成されている。一方、回転多面鏡体１０１の回転によって生じる気流ＡＲは、回転中心１０５から離れながら回転する渦巻き状に発生することが多いが、一部の気流は、回転多面鏡体１０１の放射方向に流れる。そこで、傾斜面２ｂｃは、放射方向に流れる気流を案内できるように、気流が流れる方向の下流側部分２ｂｂが上流側部分２ｂａよりもＩＣ基板１０３に接近して、回転多面鏡体１０１の放射方向に傾斜している。このため、案内部２ｂとＩＣ基板１０３との互いに対向している間の隙間Ｇ１が、回転多面鏡体１０１から離れるにしたがって狭く形成されている。
【００３０】
したがって、案内部２ｂは、回転多面鏡体１０１とコネクタ１０４との間の位置で、回転中心１０５から離れる方向の気流をＩＣ基板１０３に接近案内するようになっている。しかも、ＩＣ基板１０３の上部の隙間Ｇ１が、案内部２ｂによって、回転多面鏡体１０１から離れるにしたがって狭くなっているので、気流の流れが、回転中心１０５から離れるにしたがって、速くなるようになっている。
【００３１】
この結果、レーザ走査ユニット８は、気流によって、ＩＣ基板１０３の発熱を抑制し、熱による光学部品の特性の変化を少なくして、シートに形成される画像の画質の低下を防止することができる。また、レーザ走査ユニット８は、従来と異なって、凹凸部を使用していないので、装置の小型化が容易である。さらに、凹凸部を形成する必要が無いので、製作上の手間を減らすことができて、コストアップの要因を少なくすることができる。さらに、ポリゴンミラーの回転時に生じる気流が当たる部分が少なくなり、風切り音の発生を少なくすることもできる。
【００３２】
なお、以上の説明の案内部２ｂの傾斜面２ｂｃは、回転多面鏡体１０１の放射方向に沿って傾斜しているが、図７に示すレーザ走査ユニット６０８の案内部６０２ｂの傾斜面６０２ｂｃのように、回転多面鏡体１０１の回転接線方向に傾斜していてもよい。この案内部６０２ｂもカバー６０２に形成されて、傾斜面６０２ｂｃは、気流の渦巻き状の下流側部分６０２ｂｂが上流側部分６０２ｂａよりもＩＣ基板１０３に接近している。このため、案内部６０２ｂは、ＩＣ基板１０３の上部の隙間Ｇ２が、回転多面鏡体が回転する方向において、狭くなるように形成されている。なお、この場合のカバー６０２にも、凹部６０２ｃが形成されている。凹部６０２ｃの底部６０２ｃａには、後述するコネクタ１０４が凹部６０２ｃ内に突出するための開口部６０２ａが形成されている。
【００３３】
この案内部６０２ｂも、ＩＣ基板１０３の上部の隙間Ｇ２を、回転多面鏡体１０１の回転接線方向において、狭くなるように形成されているので、気流の流れが、回転多面鏡体１０１の回転に追従回転していくことによって、速くなるようになっている。したがって、案内部６０２ｂを備えたレーザ走査ユニット８は、上記の案内部２ｂを備えた場合と同様に、上記の効果を奏する。
【００３４】
また、案内部は、回転多面鏡体１０１の放射方向と回転接線方向との間の向きに形成されていてもよい。
【００３５】
さらに、レーザ走査ユニット８，６０８のカバー２，６０２には、外部に通じる孔として、凹部２ｃ，６０２ｃの底部２ｃａ，６０２ｃａに形成されて、コネクタ１０４が凹部６０２ｃ内に突出するための開口部２ａ，６０２ａが形成されている。レーザ走査ユニット８，６０８内で暖められた気流は、コネクタ１０４と開口部２ａ，６０２ａとの隙間から、レーザ走査ユニット８，６０８の外部に逃げるようになっている。これによって、レーザ走査ユニット８，６０８内の温度上昇を抑えることができる。
【００３６】
図８乃至図１１に示すレーザ走査ユニット１００８，１６０８は、カバー１００２，１６０２にスリット１０６，１０８を形成し、レーザ走査ユニット内で暖められた気流を、スリット１０６，１０８によって、より一層外部に逃げ易くした構造になっている。
【００３７】
図８は、他の形態のレーザ走査ユニット１００８の平面図である。図９は、図８のＪ−Ｊ矢視断面図である。図１０は、図８のレーザ走査ユニット１００８の気流の流れを示す図であり、図３（Ｂ）に相当する図である。図１１は、図９と傾斜部が異なる場合の図である。（Ａ）は、図８に相当する図である。（Ｂ）は、（Ａ）のＫ―Ｋ矢視断面図である。図１２は、図３（Ａ）と図７（Ａ）のスリットが形成されていないカバーの内部における、気流の流れを示した図である。
【００３８】
スリット１０６，１０８は、開口部２ａ，６０２ａが形成された凹部２ｃ、６０２ｃの底部２ｃａ、６０２ｃａに形成されている。なお、図８乃至図１１に示すレーザ走査ユニット１００８，１６０８において、図２乃至図７に示すレーザ走査ユニット８，６０８と同様な部分には、図２乃至図７と同一符号を付してその部分の説明を省略する。
【００３９】
しかし、画像形成装置の使用環境によっては、開口部２ａ，６０２ａや、スリット１０６，１０８から、レーザ走査ユニット１００８，１６０８内に画像形成装置内の塵埃が侵入するおそれがある。
【００４０】
図８乃至図１１に示すレーザ走査ユニット１００８，１６０８は、凹部２ｃ、６０２ｃに塵埃侵入防止部材としてのフィルタ１０７，１０９が着脱自在に装着されている。フィルタ１０７，１０９は、コネクタ１０４と、開口部２ａ，６０２ａと、スリット１０６，１０８とを覆っている。フィルタ１０７，１０９は、通気性と弾性とを備えた部材で形成されている。また、フィルタ１０７，１０９には、コネクタ１０４に差し込まれるコンセントの１対の爪が貫通する不図示の貫通孔が形成されている。
【００４１】
このように、図８乃至図１１に示すレーザ走査ユニット１００８，１６０８は、スリット１０６，１０８が形成されているので、図２乃至図７に示すレーザ走査ユニット８，６０８よりも、レーザ走査ユニット内で暖められた気流を外部に逃がし易くなっている。このため、レーザ走査ユニット１００８，１６０８内の温度上昇を抑制することができる。
【００４２】
しかも、図１２に示すように気流は、ＩＣ基板１０３上部を通過した後に装置内部循環するようになっている。しかし、レーザ走査ユニット１００８，１６０８は、スリット１０６，１０８が、気流が通過するＩＣ基板１０３の上部近傍に形成されている。このため、光学部品であるアナモフィックレンズ１１、ｆθレンズ１０は、昇温を防止されて、光学性能を長期間、一定に維持することができる。
【００４３】
また、フィルタ１０７，１０９を設けてあるので、開口部２ａ，６０２ａと、スリット１０６，１０８とからに塵埃の侵入を防止することができる。なお、図２乃至図７に示すレーザ走査ユニット８，６０８の凹部２ｃ、６０２ｃにも、フィルタを設けて、開口部２ａ，６０２ａから塵埃が侵入しないようにしてもよい。しかし、フィルタ１０７，１０９は、画像形成装置の使用環境によっては、必ずしも設ける必要がない。
【００４４】
以上、説明したレーザ走査ユニットは、シートに白黒画像を形成する画像形成装置に用いられる場合について説明したが、シートにフルカラー画像を形成する画像形成装置等に用いても良い。
【符号の説明】
【００４５】
２，６０２：カバー、２ａ，６０２ａ：開口部、２ｂ，６０２ｂ：案内部、２ｂａ，６０２ｂａ：上流側部分、２ｂｂ，６０２ｂｂ：下流側部分、２ｂｃ，６０２ｂｃ：傾斜面、２ｃ、６０２ｃ：凹部、３：収納ケース（ケーシング）、８，６０８：レーザ走査ユニット（光走査装置）、１００：画像形成装置、１０１：回転多面鏡体、１０２：ポリゴンモータ（駆動手段）、１０３：ＩＣ基板（電気回路）、１０６，１０８：スリット、１０７，１０９：フィルタ（塵埃侵入防止部材）、１２１：レーザ発光ダイオード（光源）、４０２：感光ドラム（感光体）、４０７：定着器（定着部）、４３０：画像形成部、ＡＲ：気流、Ｄ：原稿、Ｇ１，Ｇ２：隙間、Ｌ：レーザ光、Ｐ：シート。
【図１】
2016105133.tif 000003
【図２】
2016105133.tif 000004
【図３】
2016105133.tif 000005
【図４】
2016105133.tif 000006
【図５】
2016105133.tif 000007
【図６】
2016105133.tif 000008
【図７】
2016105133.tif 000009
【図８】
2016105133.tif 000010
【図９】
2016105133.tif 000011
【図１０】
2016105133.tif 000012
【図１１】
2016105133.tif 000013
【図１２】
2016105133.tif 000014